(57)【要約】【課題】定着部のウォームアップ時間を短くすることが可能な画像形成装置を提供する。【解決手段】画像形成装置は、定着部６０と、所定値の電力の一部を定着部６０に供給する定着電力供給部１１１と、所定の種類のオプション装置それぞれの定格電力に関する定格電力情報を記憶する定格電力情報記憶部８１と、ウォームアップ開始時に、いずれの種類のオプション装置が接続されているか否かを判定する負荷接続判定部９１と、所定の種類のオプション装置のうち接続されていないオプション装置が有ると判定された場合に、記憶部８０に記憶される定格電力情報を参照することにより、接続されていないと判定されたオプション装置についての定格電力を読み出して、その定格電力と同じ値又はその定格電力よりも小さい値の電力を定着部６０に追加して供給させるよう定着電力供給部１１１を制御する定着電力制御部９２とを備える。【選択図】図２
2012252250.tif 000002
【特許請求の範囲】
【請求項１】
所定値の電力が供給されると共に、所定の種類のオプション装置が接続可能な画像形成装置であって、
トナー画像を形成する画像形成部と、
前記画像形成部によって形成されたトナー画像を被転写材に転写させる転写部と、
前記転写部によって被転写材に転写されたトナー画像を定着させる定着部と、
前記所定値の電力の一部を前記定着部に供給する定着電力供給部と、
所定の種類の前記オプション装置それぞれの定格電力に関する定格電力情報を記憶する記憶部と、
ウォームアップ開始時に、いずれの種類のオプション装置が接続されているか否かを判定するオプション装置接続判定部と、
前記オプション装置接続判定部によって所定の種類の前記オプション装置のうち接続されていないオプション装置が有ると判定された場合に、前記記憶部に記憶される前記定格電力情報を参照することにより、接続されていないと判定されたオプション装置についての定格電力を読み出して、当該定格電力と同じ値又は当該定格電力よりも小さい値の電力を前記定着部に追加して供給させるよう前記定着電力供給部を制御する定着電力制御部と、
を備える画像形成装置。
【請求項２】
温度及び湿度を測定する温湿度測定部と、
前記温湿度測定部によって測定された温度及び湿度に基づいて、前記定着電力制御部によって読み出された定格電力を補正する定格電力補正部と、をさらに備え、
前記定着電力制御部は、前記定格電力補正部によって補正された定格電力と同じ値の電力を前記定着部に追加して供給するよう前記定着電力供給部を制御する
請求項１に記載の画像形成装置。
【発明の詳細な説明】
【技術分野】
【０００１】
本発明は、被転写材に形成されたトナー画像を定着させる定着部を備える画像形成装置に関する。
【背景技術】
【０００２】
コピー機や複合機やプリンター等の画像形成装置には、トナー画像を形成する画像形成部と、画像形成部によって形成されたトナー画像を被転写材としての用紙に転写させる転写部と、転写部によって用紙に転写されたトナー画像を定着させる定着部と、を備えるものがある。このような画像形成装置には、動作状態に応じて変動する二次側の電流に応じて、定着部に供給される電力を調整するものがある（特許文献１参照）。
【先行技術文献】
【特許文献】
【０００３】
【特許文献１】特開２００６−１８９７４４号公報
【発明の概要】
【発明が解決しようとする課題】
【０００４】
一般的には、電源の投入から機器の安定までのように二次側の負荷（例えば、オプション装置）における動作が決まっており、且つ、短いウォームアップ時間が求められている場合には、画像形成装置では、全てのオプション装置がその画像形成装置に接続された状態でも電流の規格（日本国内では１５Ａ）を満たすように、定着部に供給される電力が決められている。
【０００５】
一方、近年の画像形成装置は、種々のオプション装置、例えば、自動原稿搬送装置や多量給紙装置や製本機能等を有する後処理装置等が接続可能になっている。そして、画像形成装置の二次側電流の電流値は、オプション装置の接続状態によって様々な値を取り得る。このため、特許文献１に記載された発明では、例えば、電源が投入されてから直ぐに、又は、スリープ状態から復帰してから直ぐに、二次側電流を求めることは困難である。したがって、特許文献１に記載された発明は、定着部のウォームアップ時間が長くなるおそれがある。
【０００６】
本発明は、定着部のウォームアップ時間を短くすることが可能な画像形成装置を提供することを目的とする。
【課題を解決するための手段】
【０００７】
本発明は、所定値の電力が供給されると共に、所定の種類のオプション装置が接続可能な画像形成装置であって、トナー画像を形成する画像形成部と、前記画像形成部によって形成されたトナー画像を被転写材に転写させる転写部と、前記転写部によって被転写材に転写されたトナー画像を定着させる定着部と、前記所定値の電力の一部を前記定着部に供給する定着電力供給部と、所定の種類の前記オプション装置それぞれの定格電力に関する定格電力情報を記憶する記憶部と、ウォームアップ開始時に、いずれの種類のオプション装置が接続されているか否かを判定するオプション装置接続判定部と、前記オプション装置接続判定部によって所定の種類の前記オプション装置のうち接続されていないオプション装置が有ると判定された場合に、前記記憶部に記憶される前記定格電力情報を参照することにより、接続されていないと判定されたオプション装置についての定格電力を読み出して、当該定格電力と同じ値又は当該定格電力よりも小さい値の電力を前記定着部に追加して供給させるよう前記定着電力供給部を制御する定着電力制御部と、を備える画像形成装置に関する。
【０００８】
また、画像形成装置は、温度及び湿度を測定する温湿度測定部と、前記温湿度測定部によって測定された温度及び湿度に基づいて、前記定着電力制御部によって読み出された定格電力を補正する定格電力補正部と、をさらに備え、前記定着電力制御部は、前記定格電力補正部によって補正された定格電力と同じ値の電力を前記定着部に追加して供給するよう前記定着電力供給部を制御することが好ましい。
【発明の効果】
【０００９】
本発明によれば、定着部のウォームアップ時間を短くすることが可能な画像形成装置を提供することができる。
【図面の簡単な説明】
【００１０】
【図１】画像形成装置の一実施形態に係る複合機の全体構成を説明するための図である。
【図２】複合機の機能構成を示すブロック図である。
【図３】複合機の動作について説明するためのフローチャートである。
【発明を実施するための形態】
【００１１】
以下、図面を参照して、本発明の画像形成装置の一実施形態に係る複合機について説明する。まず、複合機１の全体構成について説明する。図１は、画像形成装置の一実施形態に係る複合機１の全体構成を説明するための図である。
【００１２】
複合機１は、所定値の電力が供給されると共に、所定の種類のオプション装置が接続可能である。電力についての所定値は、日本国内の場合には、１５００Ｗである。
【００１３】
複合機１は、オプション装置である原稿搬送装置１０と、原稿読取部２０と、用紙搬送部３０と、画像形成部４０と、転写部５０と、定着部６０とを備える。
原稿搬送装置１０は、ＡＤＦ（Ａｕｔｏｍａｔｉｃ  Ｄｏｃｕｍｅｎｔ  Ｆｅｅｄｅｒ）である。原稿搬送装置１０は、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇを複合機本体２の外部に排出する。
原稿排出部１５における複合機本体２の外側には、原稿集積部１６が形成される。原稿集積部１６には、原稿排出部１５から排出された原稿Ｇが積層して集積される。
【００１４】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送装置１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１５】
また、原稿読取部２０は、照明部２３と、第１ミラー２４と、第２ミラー２５と、第３ミラー２６と、結像レンズ２７と、撮像部２８とを複合機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１６】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１７】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被転写材）を転写部５０に供給する。第３送りローラー３２は、手差しトレイ３７に載置される用紙Ｔ（被転写材）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔを複合機本体２の外部に排出する。
用紙排出部３４における複合機本体２の外側には、排紙集積部３５が形成される。排紙集積部３５には、用紙排出部３４から排出された用紙Ｔが積層して集積される。
【００１８】
画像形成部４０は、トナー画像を形成する。具体的には、画像形成部４０は、感光体ドラム４１と、帯電部４２と、レーザースキャナユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナユニット４３と、現像器４４と、クリーニング部４５とが配置される。帯電部４２は、感光体ドラム４１の表面を帯電させる。レーザースキャナユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００１９】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２０】
転写部５０は、画像形成部４０によって形成されたトナー画像を用紙Ｔに転写させる。具体的には、転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２１】
定着部６０は、転写部５０によって用紙Ｔに転写されたトナー画像を定着させる。具体的には、定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２２】
このような複合機１は、上述したオプション装置としての原稿搬送装置１０に加えて他のオプション装置が接続されることが可能である。他のオプション装置としては、多量の用紙Ｔを収容して、用紙Ｔを１枚ずつ転写部５０に供給することが可能な多量給紙装置や、例えば、トナー画像が定着された用紙Ｔを複数まとめることにより製本を行う後処理装置等が挙げられる。なお、本実施形態では、他のオプション装置（例えば、多量給紙装置や後処理装置）が複合機１に接続されていないことを前提にして説明する。
【００２３】
次に、複合機１の機能構成について説明する。図２は、複合機１の機能構成を示すブロック図である。
複合機１は、上述した構成要素（原稿搬送装置１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、複合機１は、上述した機能構成に加えて、操作部７０と、記憶部８０と、温湿度測定部としての温湿度センサ１００と、電力供給部１１０と、制御部９０とを備える。
【００２４】
操作部７０は、テンキー（図示せず）、タッチパネル（図示せず）及びスタートキー（図示せず）等を備える。テンキーは、印刷部数等の数字を入力するために操作される。タッチパネルは、種々の機能（一例として、印刷倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかを複合機１に実行させるために操作される。スタートキーは、印刷を実行させるために操作される。操作部７０は、いずれかのキーが操作されることにより、このキーが操作されたことを表す信号を制御部９０に供給する。
【００２５】
記憶部８０は、ハードディスクや半導体メモリー等から構成される。記憶部８０は、原稿読取部２０によって読み取られた原稿Ｇに基づく画像データを記憶する。また、記憶部８０は、複合機１において利用される制御プログラム、及びこの制御プログラムによって利用されるデータ等を記憶する。
【００２６】
また、記憶部８０は、定格電力情報記憶部８１を備える。定格電力情報記憶部８１は、所定の種類のオプション装置それぞれの定格電力に関する定格電力情報を記憶する。具体的には、定格電力情報記憶部８１は、原稿搬送装置１０、多量給紙装置及び後処理装置等の定格電力に関する定格電力情報を記憶する。
【００２７】
温湿度センサ１００は、複合機１内部の温度及び湿度を測定する。
電力供給部１１０は、複合機１に供給された所定値の電力を、オプション装置（原稿搬送装置１）や複合機１の各部（例えば、原稿読取部２０及び用紙搬送部３０等）に供給する。電力供給部１１０は、定着電力供給部１１１を備える。定着電力供給部１１１は、外部から供給された所定値（日本国内では１５００Ｗ）の電力の一部を定着部６０に供給する。
【００２８】
制御部９０は、原稿搬送装置１０、原稿読取部２０、エンジン部３、操作部７０等を制御する。
さらに、制御部９０は、オプション装置接続判定部としての負荷接続判定部９１と、定着電力制御部９２と、定格電力補正部９３とを備える。
【００２９】
負荷接続判定部９１は、ウォームアップ開始時に、いずれの種類のオプション装置（負荷）が接続されているか否かを判定する。
ウォームアップとは、電源が投入された後又はスリープモードから復帰した後において、例えば、用紙Ｔに対してトナー画像を形成可能な状態にすることである。例えば、定着部６０に関してのウォームアップとは、定着部６０に電力（定着電力）を供給して、定着部６０の温度を所定の温度にすることである。
【００３０】
また、負荷接続判定部９１は、例えば、ウォームアップ開始時に、オプション装置から所定の信号を受け付けることにより、そのオプション装置が複合機１に接続されていると判定する。一例として、負荷接続判定部９１は、ウォームアップ開始時に、原稿搬送装置１０から送信された原稿搬送装置１０に関する所定の信号を受け付けることにより、原稿搬送装置１０が複合機１に接続されていると判定する。
【００３１】
一方、負荷接続判定部９１は、ウォームアップ開始時に、オプション装置から所定の信号を受け付けない場合には、そのオプション装置が複合機１に接続されていないと判定する。一例として、負荷接続判定部９１は、ウォームアップ開始時に、多量給紙装置からその多量給紙装置に関する所定の信号を受け付けず、さらに、後処理装置からその後処理装置に関する所定の信号を受け付けない場合には、多量給紙装置及び後処理装置が複合機１に接続されていないと判定する。
【００３２】
なお、負荷接続判定部９１は、ウォームアップ開始時に、オプション装置が複合機１に接続されているか否かを判定するための信号を各オプション装置に送信し、その信号に対する返答を示す信号を受信したことに基づいて、オプション装置が複合機１に接続されているか否か判定してもよい。例えば、負荷接続判定部９１は、各オプション装置に送信した信号に対して、原稿搬送装置１０のみから返答を示す信号を受信した場合には、原稿搬送装置１０のみが複合機１に接続されていると判定する。
【００３３】
定着電力制御部９２は、負荷接続判定部９１によって所定の種類のオプション装置（負荷）のうち接続されていないオプション装置が有ると判定された場合に、定格電力情報記憶部８１に記憶される定格電力情報を参照することにより、接続されていないと判定されたオプション装置についての定格電力を読み出して、その定格電力と同じ値又はその定格電力よりも小さい値の電力を定着部６０に追加して供給させるよう定着電力供給部１１１を制御する。
【００３４】
すなわち、複合機１がウォームアップを行う場合には、定着部６０ばかりでなく、エンジン部３等の各部及びオプション装置もウォームアップを行う。一方、複合機１に供給される電力には上限があるため、ウォームアップのために定着部６０をはじめとする複合機１の各部に供給される電力には上限がある。このため、定着電力制御部９２は、複合機１に接続されていないオプション装置がある場合には、ウォームアップのために定着部６０に供給される標準値の電力に加えて、そのオプション装置に供給されるはずであった電力を定着部６０に追加供給させることにより、定着部６０のウォームアップ時間を短縮させる。
【００３５】
例えば、負荷接続判定部９１によって多量給紙装置及び後処理装置が複合機１に接続されていないと判定されると、定着電力制御部９２は、定格電力情報記憶部８１に記憶される定格電力情報を参照して、多量給紙装置の定格電力と後処理装置の定格電力とを読み出す。さらに、定着電力制御部９２は、読み出した各定格電力と同じ値の電力又は読み出した各定格電力よりも小さい値（零ではない値）の電力を定着部６０に供給される標準値の電力に加えて定着部６０に供給させる。これにより、定着部６０には、より多くの電力が供給されるため、所定の温度に到達するまでの時間（ウォームアップ時間）が短くなる。
【００３６】
定格電力補正部９３は、温湿度センサ１００によって測定された複合機１内部の温度及び湿度に基づいて、定着電力制御部９２によって読み出された定格電力を補正する。
温度が低い場合及び湿度が低い場合には、オプション装置等において消費される電力は大きくなる。このため、温湿度センサ１００によって温度及び湿度を測定し、測定された温度が相対的に低い場合及び測定された湿度が相対的に低い場合には、オプション装置に供給される電力が相対的に大きくなるため、定格電力補正部９３は、定着電力制御部９２によって読み出された定格電力を大きくするよう補正する。
【００３７】
一方、温湿度センサ１００によって測定された複合機１内部の温度が相対的に高い場合、及び温湿度センサ１００によって測定された湿度が複合機１内部の相対的に高い場合には、オプション装置に供給される電力が相対的に小さくなるため、定格電力補正部９３は、定着電力制御部９２によって読み出された定格電力を小さくするよう補正する。
【００３８】
定格電力補正部９３によって定格電力を補正した場合、定着電力制御部９２は、定格電力補正部９３によって補正された定格電力と同じ値の電力を定着部６０に供給させる。
【００３９】
次に、本実施形態における複合機１の動作について説明する。図３は、複合機１の動作について説明するためのフローチャートである。
【００４０】
ステップＳＴ１において、負荷接続判定部９１は、起動操作等を検知したか否かを判断する。すなわち、負荷接続判定部９１は、電源を投入するために、ユーザによって電源投入操作が行われたことを検知したか否か、及び、スリープモードから復帰するために、ユーザによって復帰操作が行われたことを検知したか否かを判断する。起動操作等を検知しない場合（Ｎｏ）には、ステップＳＴ１の判断が再度行われる。起動操作等を検知した場合（Ｙｅｓ）には、処理は、ステップＳＴ２に進む。
【００４１】
ステップＳＴ２において、負荷接続判定部９１は、接続されていないオプション装置（負荷）があるか否かを判断する。接続されていない負荷がない場合（全ての負荷が接続されている場合：Ｎｏ）には、処理は、ステップＳＴ３に進む。接続されていない負荷がある場合（Ｙｅｓ）には、処理は、ステップＳＴ４に進む。
【００４２】
ステップＳＴ３において、定着電力供給部１１１は、標準値の電力を定着部６０に供給する。
【００４３】
ステップＳＴ４において、定着電力制御部９２は、定格電力情報記憶部８１に記憶される定格電力情報を参照することにより、接続されていない負荷の定格電力を読み出す。
【００４４】
ステップＳＴ５において、定格電力補正部９３は、ステップＳＴ４において読み出された定格電力を、温湿度センサ１００によって測定された温度及び湿度に応じて補正する。
【００４５】
ステップＳＴ６において、定着電力制御部９２は、ステップＳＴ５において補正された定格電力と同じ値の電力を、標準値の電力に加えて定着部６０に供給させる。なお、定格電力制御部は、ステップＳＴ５において補正された定格電力よりも小さい値の電力を、標準値の電力に加えて定着部６０に供給させてもよい。また、ステップＳＴ５の処理が行われない場合には、定着電力制御部９２は、ステップＳＴ４において読み出された定格電力と同じ値の電力を定着部６０に供給させる。
【００４６】
以上説明したように、本実施形態の複合機１によれば、以下の効果が奏される。
すなわち、本実施形態の複合機１は、所定の種類のオプション装置のうち接続されていないオプション装置がある場合に、その接続されていないオプション装置についての定格電力と同じ値の電力又はその定格電力よりも小さい値の電力を定着部６０に追加的に供給する。これにより、複合機１は、オプション装置が接続されているか否かを判断するだけで、あらゆる負荷容量に対しても定着部６０において使用される定着電力を瞬時に最適にすることができ、定着部のウォームアップ時間を短縮することができる。
【００４７】
すなわち、複合機１は、電源が投入された時からオプション装置の接続状況に合わせた最適な定着電力を定着部６０に供給することができる。また、複合機１は、その複合機１に供給される所定値の電力（１次側の電流の規格）を超えることなく、多くの電力（電流）を定着部６０の加熱用に使用することが可能となり、電源の投入から機器の安定までのウォームアップ時間を短縮することができる。
【００４８】
また、複合機１は、定格電力補正部９３によって定格電力が補正された場合、補正された定格電力と同じ値の電力を定着部６０に供給させる。これにより、複合機１は、周辺環境を加味した電力の補正が可能となる。
【００４９】
なお、本発明は、上述した実施形態に限定されることはなく、種々の形態で実施することができる。
本実施形態の複合機１は、カラー複合機であるが、この形態に限定されることはなく、モノクロ複合機であってもよい。
また、本実施形態の複合機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態の複合機１は、用紙Ｔの片面を印刷する構成であるが、これに限定されることはなく、用紙の両面を印刷する構成であってもよい。
【００５０】
また、本発明の画像形成装置は、上述した複合機１に限定されることはない。すなわち、本発明の画像形成装置は、コピー機やファクシミリやプリンターであってもよい。
また、本発明の画像形成装置によってトナー画像が定着される被転写材は用紙Ｔに限定されることはなく、例えば、ＯＨＰ（オーバヘッドプロジェクター）シート等のフィルムシートであってもよい。
【符号の説明】
【００５１】
１…複合機（画像形成装置）、１０…原稿搬送装置、４０…画像形成部、５０…転写部、６０…定着部、７０…操作部、８１…定格電力情報記憶部（記憶部）、９０…制御部、９１…負荷接続判定部（オプション装置接続判定部）、９２…定着電力制御部、９３…定格電力補正部、１００…温湿度センサ（温湿度測定部）、１１１…定着電力供給部
【図１】
2012252250.tif 000003
【図２】
2012252250.tif 000004
【図３】
2012252250.tif 000005